(57)【特許請求の範囲】
【請求項１】
複数の入居者に対する夫々のＩＤ番号を備えた各部屋毎のキーと、各部屋の入口ドアーに設けられた前記キーにより操作される錠と、該錠の施錠・解錠によって作動する各部屋毎の在・不在スイッチと、前記ＩＤ番号を読み取るＩＤ番号リーダーを設けた食堂券売機と、前記各在・不在スイッチからの信号とＩＤ番号リーダーからの信号を通信インターフェイスを介して入力されるホストコンピュータとからなり、
前記在・不在スイッチからの信号と前記ＩＤ番号リーダーからの信号により各入居者の食事摂取の有無を確認して、これより各入居者の安否を確認し、この安否確認信号を食事時間終了後に、前記ホストコンピュータより出力することを特徴とする食事摂取による安否確認システム。
【発明の詳細な説明】
【０００１】
【発明の属する技術分野】
本発明は、食事摂取による安否確認システムに関する。
【０００２】
【従来の技術と問題点】
従来、複数の入居者が生活している例えば老人ホーム等の寮においては、入居者全員の健康管理を行うとともに安否の確認を早期に行う必要がある。
【０００３】
入居者の健康を維持するには、毎日の食事を１日３回正確に摂取することが重要であるが、従来においては、寮の職員が入居者全員の３度の食事をチェックすることは困難であり、健康や安否を早期に確認できない問題があった。
【０００４】
そこで本発明は、食堂券を買って食事を摂取するシステムの寮等において、食事をする場合に入居者が自室の入口ドアーを施錠した後に食堂券売機を操作することに着目して、各入居者の入口ドアーの施錠と食堂券売機の操作の有無をホストコンピュータで確認して入居者の食事による安否の確認を行うシステムを提供することを目的とするものである。
【０００５】
【課題を解決するための手段】
前記の課題を解決するために本発明は、複数の入居者に対する夫々のＩＤ番号を備えた各部屋毎のキーと、各部屋の入口ドアーに設けられた前記キーにより操作される錠と、該錠の施錠・解錠によって作動する各部屋毎の在・不在スイッチと、前記ＩＤ番号を読み取るＩＤ番号リーダーを設けた食堂券売機と、前記各在・不在スイッチからの信号とＩＤ番号リーダーからの信号を通信インターフェイスを介して入力されるホストコンピュータとからなり、
前記在・不在スイッチからの信号と前記ＩＤ番号リーダーからの信号により各入居者の食事摂取の有無を確認して、これより各入居者の安否を確認し、この安否確認信号を食事時間終了後に、前記ホストコンピュータより出力することを特徴とするものである。
【０００６】
本発明においては、例えば、入居者がその部屋における入口ドアーを外側から施錠せず、かつ食堂券売機のＩＤ番号リーダーにその入居者のＩＤ番号が入力されなかった場合には、その部屋の在・不在スイッチから在室の信号をホストコンピュータに発信し、かつ、食堂券売機のＩＤ番号リーダーから食事無摂取の信号をホストコンピュータに発信する。
【０００７】
ホストコンピュータに前記両信号が入力されると、食事時間終了後に、ホストコンピュータが前記の入力者に異常がある旨の出力をする。
これにより、ホストコンピュータを設置した管理室の管理者（職員）が早期に対応することができる。
【０００８】
【発明の実施の形態】
図に示す実施例に基いて本発明の実施の形態について説明する。
図１において、各入居者の部屋１ａ〜１ｎの入口ドアー２ａ〜２ｎには夫々錠３ａ〜３ｎが設けられている。更に各部屋１ａ〜１ｎには、各部屋１ａ〜１ｎの前記錠３ａ〜３ｎ毎に作動する在・不在スイッチ４ａ〜４ｎが設けられており、各錠３ａ〜３ｎを外側から施錠したときには、これに対応する在・不在スイッチ４ａ〜４ｎが例えばオン作動して不在信号を発し、各錠３ａ〜３ｎを外側から解錠したときには、これに対応する在・不在スイッチ４ａ〜４ｎが例えばオフ作動して在信号を発するようになっている。
【０００９】
前記各在・不在スイッチ４ａ〜４ｎは通信インターフェイス５に接続されており、前記各在・不在の信号が通信インターフェイス５を介して無線によって管理室等のホストコンピュータ６に入力されるようになっている。
【００１０】
入居者には、自室の入口ドアー２ａ〜２ｎの錠３ａ〜３ｎに対応するキー９ａ〜９ｎが貸与されており、このキー９ａ〜９ｎにはその貸与された入居者独自のＩＤ番号１４ａ〜１４ｎが備えられている。このＩＤ番号１４ａ〜１４ｎは、例えば図２（ａ）に示すように、キー９ａの掴み部１０に記憶させてキー９ａと一体化させると紛失防止上好ましいが、図２（ｂ）に示すようにキー９ａのタグ１１に記憶させてもよい。
【００１１】
食堂には食堂券売機１２が設置されており、該食堂券売機１２には前記キー９ａ〜９ｎに設けられたＩＤ番号１４ａ〜１４ｎを読みとるＩＤ番号リーダー１３が設けられている。このＩＤ照合機能としては、例えば前記ＩＤ番号部をＩＤ番号リーダー１３にかざすのみで照合できるようになっている。
【００１２】
前記ＩＤ番号リーダー１３は前記通信インターフェイス５に接続されており、ＩＤ番号リーダー１３からの情報が通信インターフェイス５を介して無線で前記ホストコンピュータ６に入力されるようになっている。
【００１３】
ホストコンピュータ６に入力された前記の情報は処理されてディスプレイ７で画面表示できるとともにプリンタ８によってプリントアウトできるようになっている。更に、ホストコンピュータ６に入力された情報はハードディスクに保存できるようになっている。なお、前記ＩＤ番号からその入居者の部屋番号、氏名等の必要情報がホストコンピュータ６から出力されるようになっている。
【００１４】
以上のようであるから、例えば部屋１ａの入居者が食事を摂取する場合には、先ずキー９ａによって自己の部屋１ａにおける入口ドアー２ａの錠３ａを外側から施錠する。これにより在・不在スイッチ４ａがオン作動し、不在信号がホストコンピュータ６に入力されて不在が確認される。
【００１５】
次に、食堂へ行き、食堂券売機１２のＩＤ番号リーダー１３に自己のキー９ａに設けられたＩＤ番号１４ａをかざすと、そのＩＤ番号１４ａの信号がＩＤ番号リーダー１３からホストコンピュータ６に入力されて、食事を摂取したことが確認される。
【００１６】
そして、食事後、部屋１ａに戻り、キー９ａにより錠３ａを解錠して入室すると、在・不在スイッチ４ａがオフ作動し在室信号がホストコンピュータ６に入力される。
【００１７】
以上の各信号が入力されると、その入居者が通常に食事を摂取して通常の生活状態であることが確認される。
また、ホストコンピュータ６に設定された食事時間内において、例えば部屋１ｎの錠３ｎが外側から施錠されていない場合には、在・不在スイッチ４ｎがオフ状態のままであるため、ホストコンピュータ６は在室のままと判断する。
【００１８】
また、食事時間内において、部屋１ｎの錠３ｎが施錠されたが、食堂券売機１２のＩＤ番号リーダ１３から部屋１ｎの入居者のＩＤ番号１４ｎがホストコンピュータ６に入力されない場合は、その入居者は食事を摂取しなかったと判断される。
【００１９】
食事時間終了後、前記施錠信号及び食事摂取信号のいずれの信号も入力されない場合は、そのＩＤ番号１４ｎから部屋番号及び氏名がホストコンピュータ６より出力され、その者が異常な状態であることが確認される。また、必要により、異常な状態の入居者の部屋番号及び氏名をプリントアウトする。
【００２０】
これにより、入居者全員の安否が容易に確認され、早期に対応することができる。
【００２１】
【発明の効果】
以上のようであるから、本発明によれば、入居者全員の食事摂取の有無の情報を早期に得ることができ、入居者全員の食事摂取の有無からの健康管理と安否の確認が容易にかつ早期にできる。
【図面の簡単な説明】
【図１】本発明のシステムを示す図。
【図２】本発明に使用するＩＤ番号を備えたキーを示すもので、（ａ）はキーにＩＤ番号を直接設けた図、（ｂ）はキーのタグにＩＤ番号を備えた図。
【符号の説明】
１ａ〜１ｎ      部屋
２ａ〜２ｎ      入口ドアー
３ａ〜３ｎ      錠
４ａ〜４ｎ      在・不在スイッチ
５              インターフェイス
６              ホストコンピュータ
９ａ〜９ｎ      キー
１２            食堂券売機
１３            ＩＤ番号リーダー
１４ａ〜１４ｎ  ＩＤ番号
【図１】
0004056156.tif 000002
【図２】
0004056156.tif 000003